(57)【要約】【課題】衣類乾燥機において、衣類乾燥機において、衣類に付着した油脂類等による自己発熱について、衣類の表面だけでなく、折り重なった衣類の内部温度を検知することを実現するものである。【解決手段】ドラムに収容された衣類の温度を非接触で検出する衣類温度検出部と、当該衣類温度検出部により得られた検出温度に基づいて前記ドラムの回転制御を行う制御装置とを備え、前記制御装置が、前記検出温度に基づいて衣類乾燥運転を終了させるとともに、当該衣類乾燥運転終了後に前記衣類温度検出部から得られた検出温度を用いて、前記衣類の自然発火を監視する自然発火監視運転を行うものであり、さらに前記制御装置が、前記自然発火監視運転において、前記ドラムを回転させることを特徴とする。【選択図】図１
2013081717.tif 000002
【特許請求の範囲】
【請求項１】
ドラムに収容された衣類の温度を非接触で検出する衣類温度検出部と、当該衣類温度検出部により得られた検出温度に基づいて前記ドラムの回転制御を行う制御装置とを備え、
前記制御装置が、前記検出温度に基づいて衣類乾燥運転を終了させるとともに、当該衣類乾燥運転終了後に前記衣類温度検出部から得られた検出温度を用いて、前記衣類の自然発火を監視する自然発火監視運転を行うものであり、
さらに前記制御装置が、前記自然発火監視運転において、前記ドラムを回転させることを特徴とする衣類乾燥機。
【請求項２】
前記ドラムの回転軸が略水平方向であり、
前記衣類温度検出部が、前記ドラムの回転中に前記ドラム内にて落下する衣類の温度を検出することを特徴とする請求項１記載の衣類乾燥機。
【請求項３】
前記衣類温度検出部が、衣類の温度分布を検出することが可能な、複数のセンサ素子を有する赤外線センサであり、
前記制御装置が、前記衣類温度検出部により得られた検出温度に基づいて衣類の温度分布を検知することを特徴とする請求項１又は２記載の衣類乾燥機。
【請求項４】
前記制御装置が、前記自然発火監視運転において、前記ドラムを間欠回転させることを特徴とする請求項１、２又は３記載の衣類乾燥機。
【請求項５】
前記ドラムの間欠回転でのドラム停止時間が１０分以内であることを特徴とする請求項４記載の衣類乾燥機。
【請求項６】
前記ドラムの間欠回転で前記ドラムが回転する場合は、前記ドラムが少なくとも１回転以上することを特徴とする請求項４又は５記載の衣類乾燥機。
【請求項７】
前記制御装置が、前記自然発火監視運転において、前記衣類温度検出部から得られた検出温度が予め定められた異常検知温度を超える場合、温度異常を検知することを特徴とする請求項１、２、３、４、５又は６記載の衣類乾燥機。
【請求項８】
前記異常検知温度が２００℃であることを特徴とする請求項７記載の衣類乾燥機。
【請求項９】
前記制御装置により、温度異常が検知された場合に、利用者に対して温度異常を報知する請求項７又は８記載の衣類乾燥機。
【請求項１０】
前記制御装置が、温度異常を検知した場合に、衣類乾燥機の各部を制御して衣類冷却運転を行うことを特徴とする請求項７、８又は９記載の衣類乾燥機。
【請求項１１】
前記ドラム内部に給水する給水機構を備え、
前記制御装置が、温度異常を検知した場合に、前記給水機構を制御し、前記ドラム内部に給水することで衣類の冷却を行うことを特徴とする請求項７、８、９又は１０記載の衣類乾燥機。
【請求項１２】
前記ドラム内部に送風する送風ファンを備え、
前記制御装置が、温度異常を検知した場合に、前記送風ファンが作動し前記ドラム内部に送風することで衣類の冷却を行う請求項７、８、９、１０又は１１記載の衣類乾燥機。
【請求項１３】
前記制御装置が、温度異常を検知した場合に、前記送風ファンが作動して衣類を冷却する場合に、同時に前記ドラムを回転させることで、衣類が均一に冷却されるようにすることを特徴とする請求項１２記載の衣類乾燥機。
【請求項１４】
ヒートポンプサイクルを用いたものであり、
前記衣類乾燥運転に対して冷凍サイクル内の冷媒の流れを反転させ、前記ドラム内に冷風を送ることで衣類の冷却を行う請求項１０、１１、１２又は１３記載の衣類乾燥機。
【請求項１５】
ヒートポンプサイクルを用いたものであり、
前記衣類乾燥運転に対して前記ドラムへ流入する空気の流れを反転させ、前記ドラム内に冷風を送ることで衣類の冷却を行う請求項１０、１１、１２又は１３記載の衣類乾燥機。
【請求項１６】
前記制御装置が、前記衣類温度検出部から得られた検出温度が予め設定された冷却終了温度を下回った場合、冷却運転を終了させること特徴とする請求項９、１０、１１、１２、１３、１４又は１５記載の衣類乾燥機。
【請求項１７】
前記冷却終了温度が、外気温度以下の温度である請求項１６記載の衣類乾燥機。
【請求項１８】
前記制御装置が、温度異常を検知した場合には、当該温度異常を検知する直前に行った衣類乾燥運転のクールダウン工程に用いたクールダウン終了温度に対して、次回の衣類乾燥運転のクールダウン終了温度を引き下げることを特徴とする請求項１、２、３、４、５、６、７、８、９、１０、１１、１２、１３、１４、１５、１６又は１７記載の衣類乾燥機。
【発明の詳細な説明】
【技術分野】
【０００１】
本発明は、衣類乾燥機に関するものである。
【背景技術】
【０００２】
従来の衣類乾燥機において、油脂類が付着した衣類は、乾燥終了後も酸化反応により自己発熱し、温度が油脂類の発火温度に達すると自然発火を起こすといった問題がある。
【０００３】
この衣類の自然発火の防止方法としては、特許文献１に示すように、乾燥運転中にガス濃度センサを用いて衣類に含まれる溶剤や油分から発生するガス濃度を検知し、火災の発生を検知し、乾燥運転を中止することで未然に火災発生を防止するものが考えられている。
【０００４】
しかしながら、この防止方法は、乾燥運転中に設定値以上のガス濃度が検出された場合に、乾燥運転を中止するものであって、乾燥運転終了後に酸化反応による自己発熱を検知するものではない。
【０００５】
また、特許文献２に示すように、ドラム内の衣類に接触して温度を検知する衣類温度センサを有し、前記衣類温度センサの検知温度が自然発火する危険温度に基づく基準値を超えた場合、前記ドラム内からポンプで酸素を排出しドラム内部の酸素濃度を下げ、発火を防止するものが考えられている。
【０００６】
しかしながら、この防止方法は、接触型の衣類温度センサでは衣類の表面温度しか検知できず、折り重なった衣類の内部で油脂類が自己発熱していた場合、油脂類の自己発熱を検知することができない。
【先行技術文献】
【特許文献】
【０００７】
【特許文献１】特開平０９−５６９９５号公報
【特許文献２】特開２０１１−１０９７７号公報
【発明の概要】
【発明が解決しようとする課題】
【０００８】
そこで本発明は、上記問題点を一挙に解決すべくなされたものであり、衣類乾燥機において、衣類に付着した油脂類等による自己発熱について、衣類の表面だけでなく、折り重なった衣類の内部温度を検知することを主たる所期課題とするものである。
【課題を解決するための手段】
【０００９】
すなわち本発明に係る衣類乾燥機は、ドラムに収容された衣類の温度を非接触で検出する衣類温度検出部と、当該衣類温度検出部により得られた検出温度に基づいて前記ドラムの回転制御を行う制御装置とを備え、前記制御装置が、前記検出温度に基づいて衣類乾燥運転を終了させるとともに、当該衣類乾燥運転終了後に前記衣類温度検出部から得られた検出温度を用いて、前記衣類の自然発火を監視する自然発火監視運転を行うものであり、さらに前記制御装置が、前記自然発火監視運転において、前記ドラムを回転させることを特徴とする。
【００１０】
このようなものであれば、衣類乾燥運転終了後も、前記衣類温度検出部にて衣類温度を検出し、制御装置が前記衣類温度検出部から得られた検出温度を用いて自然発火監視運転を行うことで、衣類乾燥運転終了後に衣類の温度上昇及び発火の監視を行うことができる。また、前記自然発火監視運転において、ドラムを回転させることにより、衣類が攪拌し衣類の重なりが解消でき、折り重なった衣類の内部温度を検出することが可能になる。したがって、自然発火監視運転をより確実にできる。
【００１１】
ここで、より精度良くドラム内の折り重なった衣類の内部温度を検知するためには、前記ドラムの回転軸が略水平方向であり、前記衣類温度検出部が、前記ドラムの回転中に前記ドラム上部から落下する衣類の温度を検出することが望ましい。
【００１２】
さらに、衣類全体の温度に加え、衣類の温度分布を検知するためには、前記衣類温度検出部が、衣類の温度分布を検出することが可能な、複数のセンサ素子を有する赤外線センサであり、前記制御装置が、前記衣類温度検出部により得られた検出温度に基づいて衣類の温度分布を検知することが望ましい。
【００１３】
前記自然発火監視運転において、衣類乾燥運転終了後における衣類に付着した油脂類の酸化反応による自己発熱を検知するためには、前記制御装置が、前記自然発火監視運転において、前記ドラムを間欠回転させることが望ましい。
【００１４】
前記自然発火監視運転において、衣類乾燥運転終了後における衣類に付着した油脂類の酸化反応による自己発熱をより精度よく検知するためには、前記ドラムの間欠回転でのドラム停止時間が１０分以内であることが望ましい。
【００１５】
前記自然発火監視運転において、前記ドラムの間欠回転での衣類温度の検知をより確実なものにするためには、前記ドラムの間欠回転で前記ドラムが回転する場合は、前記ドラムが少なくとも１回転以上することが望ましい。
【００１６】
前記衣類温度検出部により得られた検出温度が異常検知温度を超え、衣類の温度上昇又は発火の恐れがある場合、前記制御装置が、温度異常を検知することが望ましく、さらに、油脂類の発火温度を考慮し、前記異常検知温度が２００℃であることが望ましい。
【００１７】
衣類乾燥機の利用者に対して異常を報知するためには、前記制御装置により、温度異常が検知された場合に、利用者に対して温度異常を報知することが望ましい。
【００１８】
前記制御装置が、温度異常を検知した場合に、更なる温度上昇又は発火を防止するためには、前記制御装置が、衣類乾燥機の各部を制御して衣類冷却運転を行うことが望ましい。
【００１９】
効率よく衣類の冷却及び発火した際の消火を行うためには、前記ドラム内部に給水する給水機構を備え、前記制御装置が、温度異常を検知した場合に、前記給水機構を制御し、前記ドラム内部に給水することで衣類の冷却を行うことが望ましい。
【００２０】
また、効率よく衣類の冷却を行う他の方法として、前記ドラム内部に送風する送風ファンを備え、前記制御装置が、温度異常を検知した場合に、前記送風ファンが作動し前記ドラム内部に送風することで衣類の冷却を行うことが挙げられる。さらに、衣類への送風による冷却効率を高めるためには、前記制御装置が、温度異常を検知した場合に、前記送風ファンが作動して衣類を冷却する場合に、同時に前記ドラムを回転させることで、衣類が均一に冷却されるようにすることが望ましい。
【００２１】
ヒートポンプを用いた衣類乾燥機において、衣類乾燥運転に必要な装置をそのまま用いて衣類を冷却するためには、前記衣類乾燥運転に対して冷凍サイクル内の冷媒の流れを反転させ、前記ドラム内に冷風を送ることで衣類の冷却を行うものが望ましい。
【００２２】
ヒートポンプを用いた衣類乾燥機において、衣類乾燥運転に必要な装置をそのまま用いて衣類を冷却する他の構成として、前記衣類乾燥運転に対して前記ドラムへ流入する空気の流れを反転させ、前記ドラム内に冷風を送ることで衣類の冷却を行うものが挙げられる。
【００２３】
必要以上の冷却運転を防止し、最小限の電力消費を実現するためには、前記制御装置が、前記衣類温度検出部から得られた検出温度が予め設定された冷却終了温度を下回った場合、冷却運転を終了させることが望ましい。
【００２４】
必要以上の冷却運転を防止し、最小限の電力消費を実現するためには、前記制御装置が、前記衣類温度検出部から得られた検出温度が予め設定された冷却終了温度を下回った場合、冷却運転を終了させることが望ましい。例えば、前記冷却終了温度が、外気温度以下の温度とすることなどが考えられる。
【００２５】
継続的に使用される衣類乾燥機において、衣類の温度上昇や発火のリスクを低減させ、冷却運転の頻度を減らすためには、前記制御装置が、温度異常を検知した場合には、当該温度異常を検知する直前に行った衣類乾燥運転のクールダウン工程に用いたクールダウン終了温度に対して、次回の衣類乾燥運転のクールダウン終了温度を引き下げることが望ましい。
【発明の効果】
【００２６】
このように構成した本発明によれば、衣類乾燥運転終了後も、乾燥制御に用いる衣類温度検出部にて衣類温度を検出し、制御装置が前記衣類温度検出部から得られた検出温度を用いて自然発火監視運転を行うことで、衣類乾燥運転終了後に衣類の温度上昇及び発火の監視を行うことが可能になる。また、前記自然発火監視運転において、ドラムを回転させることにより、衣類が攪拌し衣類の重なりが解消でき、折り重なった衣類の内部温度を検出することが可能になる。
【図面の簡単な説明】
【００２７】
【図１】第１実施形態に係る衣類乾燥機の構成を示す模式図。
【図２】乾燥運転における衣類温度検出方法を示す図。
【図３】自然発火監視運転における衣類温度検出方法を示す図。
【図４】第２実施形態に係るヒートポンプ式衣類乾燥機の構成を示す模式図。
【図５】ヒートポンプ式乾燥機の乾燥運転の冷凍サイクルを示す図。
【図６】ヒートポンプ式乾燥機の衣類冷却運転の冷凍サイクルを示す図。
【図７】第３実施形態に係る衣類乾燥機の乾燥運転の構成を示す模式図。
【図８】第３実施形態に係る衣類乾燥機の衣類冷却運転の構成を示す模式図。
【発明を実施するための形態】
【００２８】
以下に本発明の実施形態について図面を参照して説明する。
【００２９】
＜第１実施形態＞
第１実施形態における衣類乾燥機１００は、図１に示すように、ドラム１と、ドアガラス４を備えた前部パネル２と、後部パネル３と、ドラム１を保持するローラー５と、ドラム１を回転させるためのモーター７と、モーター７の動力をドラム１に伝達するベルト８と、衣類温度検出部９と、衣類温度検出部９より得られた検出温度を用いて衣類乾燥機１００の各部を制御する制御装置１０とを備えたものである。
【００３０】
ドラム１は、円筒形状をなしており、ドラム１の両開口部にあたる部分に前部パネル２及び後部パネル３がドラム１の両開口を覆うようにして配置され、ドラム１と前部パネル２と、後部パネル３とに囲まれた衣類等を収容する空間を形成する。そして、前部パネル２及び後部パネル３はドラム１の回転に伴って回転しないように固定されており、ドラム１のみが回転する。なお、本実施形態ではドラムとパネルが別体のもので説明するが、他の形態として、ドラム１と、前部パネル２と、後部パネル３とが一体になっているものでも良い。
【００３１】
ドラム１はローラー５に乗った状態で配置されており、ドラム１の回転軸は略水平方向である。当該ドラム１はモーター７と、ドラム１及びモーター７にそれぞれ掛渡したベルト８で構成するドラム回転機構により回転する。また、ドラム１には、例えば後部パネル３に開口する吸気流路１８が接続され、当該吸気流路１８には送風ファン６及びヒーター１７が設けられている。この送風ファン６により吸気流路１８の外部開口である吸気口１６から外気が吸気されて、ドラム１内に送風される。
【００３２】
衣類温度検出部９は、回転するドラム１上部から落下する衣類の温度を検出する。衣類温度検出部９は複数の赤外線検出素子を一列に配置した赤外線ラインセンサであり、前部パネル２の上部に配置されている。これにより、落下時にほぐれた衣類の温度を検出できるように構成している。
【００３３】
制御装置１０は、ＣＰＵ、メモリ、Ｉ／Ｏチャネル、ディスプレイ等の出力機器、キーボードなどの入力機器、ＡＤコンバータ等を有したいわゆる専用ないし汎用のコンピュータであり、前記メモリに格納した制御プログラムにしたがってＣＰＵやその周辺機器が動作することによって、衣類温度検出部９から得られた検出温度に応じて衣類乾燥機の各部を制御する。
【００３４】
次に、衣類乾燥機１００の衣類乾燥運転について説明する。なお、衣類乾燥運転は、衣類乾燥工程と、クールダウン工程とで構成される。
【００３５】
まず、衣類乾燥運転時の空気の流れを説明する。送風ファン６によって吸気口１６より吸入された空気がヒーター１７で加熱され、ドラム１内部に流れ込む。この加熱された空気によりドラム１内部の衣類が加熱されて水分が蒸発する。蒸発した水分を含み高温多湿となった空気は、例えば前部パネル２に設けられた排気口より衣類乾燥機１００の外部に排出される。
【００３６】
次に衣類乾燥運転時の衣類温度検出方法と検出温度に基づく乾燥運転の制御について説明する。衣類温度検出方法を図２に示す。
【００３７】
衣類が全て乾燥すると衣類温度検出部９が検出する温度はほぼ一定になる。しかしながら、完全に乾燥できていない衣類がある場合は、水の気化熱により乾いていない衣類もしくは衣類の一部の温度が低くなり、衣類温度検出部９は局所的に低い温度を検出する。衣類温度が低く、検出した温度が予め定められた乾燥運転終了温度に達しない場合は、衣類温度検出部９から得られた検出温度に基づいて、制御装置１０が衣類乾燥機１００の各部を制御し、乾燥運転を継続する。
【００３８】
全ての衣類が完全に乾燥し、衣類温度検出部９から得られた検出温度が、前記乾燥運転終了温度を超えた場合、制御装置１０がヒーター１７をＯＦＦにする。なお、衣類温度検出部９は直接衣類の温度を検出しているので、衣類乾燥運転中における衣類の過熱も検出することができ、制御装置１０が衣類温度検出部９から得られた検出温度から衣類の過熱を検知した場合、ヒーター１７を制御してドラム１内部に流入する熱風の温度を調節し、乾燥中の発火や衣類の縮みを防止することができる。
【００３９】
ヒーター１７がＯＦＦになると、乾燥運転終了前の工程として、クールダウン工程に入る。ヒーター１７がＯＦＦであり空気が加熱されないため、ドラム１内に冷風が流入する。この冷風により乾燥時に高温状態になった衣類の温度や、ドアガラス４等、ドラム１内の温度が下がる。衣類及びドアガラス４等の温度が低下し、衣類温度検出部９から得られた温度が、予め定められた使用者が火傷をする危険性がないクールダウン終了温度まで低下した場合、制御装置１０が送風ファン６を停止させ、クールダウン工程を終了する。そしてクールダウン工程の終了によって、衣類乾燥運転が終了する。
【００４０】
次に、衣類乾燥機１００の自然発火監視運転について説明する。自然発火監視運転における衣類温度検出方法を図３に示す。
【００４１】
乾燥運転終了後、衣類中に洗濯しても取りきれなかった油脂が残っている場合、乾燥運転終了直後の衣類温度は通常の外気温度より温度が高いため、油脂の酸化反応が進行し易い状態になっている。
【００４２】
油脂は、温度が上がれば酸化反応速度が速くなるのが一般的である。特に乾燥運転終了後の１０分程度は衣類温度が温かい状態が続き、油脂類が酸化し易く、自己発熱する可能性が高い。また、折り重なった衣類の内部において油脂類による自己発熱が発生した場合、折り重なった衣類の表面温度を検出しただけでは、折り重なった衣類の内部での温度上昇を検知できないため、折り重なった衣類の内部温度を検出する必要がある。
【００４３】
そこで自然発火監視運転では、折り重なった衣類の内部温度を検出するために、乾燥運転終了後もドラム１が回転し、衣類温度検出部９が回転するドラム１上部から落下する衣類の温度を検出する。この衣類温度検出部９から得られた温度を用いて、制御装置１０が衣類の自然発火を監視する。
【００４４】
また、回転するドラム１上部から落下する衣類の温度を検出することで、温度分布も検出することが可能になり、衣類の一部に付着した油脂類による自己発熱を検出することができる。
【００４５】
また、自然発火監視運転におけるドラム１の回転を間欠回転とすることで衣類の傷みを防止できる。間欠回転を行う場合は、油脂類の自己発熱を的確に検出するために、温度変化に対する油脂類の酸化反応速度の特徴を踏まえ、ドラム１の停止時間を１０分以内とし、かつ、衣類温度検出部９が衣類全体の温度検出を行うため、ドラム１が回転する場合は少なくとも１回転以上する。
【００４６】
制御装置１０において、予め異常検知温度を定めておくことで、衣類温度検出部９から得られた温度が異常検知温度を超えた場合、温度異常を的確に検知することができる。
【００４７】
タオル、ウエス等を含む一般的な衣類の自然発火温度は４００〜５００℃であるのに対し、油脂類の自然発火温度は、約２００〜４００℃である。したがって、異常検知温度を自然発火温度が低い油脂類の発火温度に合わせ、２００℃以下に設定することにより、衣類に付着した油脂類による自然発火を防止することができる。
【００４８】
制御装置１０が、温度異常を検知した場合、クールダウン工程同様に、ヒーター１７が停止している状態で送風ファン６を作動させてドラム１内に冷風を送ることで衣類冷却運転を行う。したがって、油脂類又は衣類の温度上昇及び自然発火を防止することができる。その上で、ドラム１が回転し、衣類が攪拌されることで衣類の冷却効率をより上げることができる。
【００４９】
そして、ドラム１内の冷却を行ったことでドラム１内の衣類温度が低下し、衣類温度検出部９から得られた温度が、予め定められた冷却終了温度を下回った場合、制御装置１０が送風ファン６を停止させ、冷却運転を終了する。
【００５０】
制御装置１０が、温度異常を検知した場合に、当該温度異常を検知する直前に行った衣類乾燥運転のクールダウン工程に用いたクールダウン終了温度に対して、次回の衣類乾燥運転のクールダウン終了温度を引き下げる。
【００５１】
クールダウン終了温度を引き下げることで、次回運転時のクールダウン工程が延長され、乾燥運転終了時の衣類の温度が低下し、油脂類が付着している場合でも油脂類が酸化しにくくなり、自己発熱による衣類の温度上昇や発火のリスクを低減できる。
【００５２】
このような自然発火監視運転を行う衣類乾燥機によれば、衣類に付着した油脂類などによる自己発熱について、衣類乾燥制御に用いる検知手段を用いて検知することが可能であり、さらに、乾燥運転に必要な装置のみを用いて衣類の冷却及び火災発生の防止を実現できる。
【００５３】
また、自然発火監視運転においてドラムを回転させることで、衣類が攪拌される。衣類が攪拌されることで衣類の重なりが解消し、全体的な衣類温度を検出することができる上、衣類を冷却する際にも冷却効率をより上げることが可能になる。
【００５４】
＜第２実施形態＞
第２実施形態における衣類乾燥機１００は、図４、図５に示すように、圧縮機２１から四方弁２２を通じて第１熱交換器１１、膨張弁２３、第２熱交換器１２の順に環状に接続されたヒートポンプサイクルを備える。この衣類乾燥機１００では、第１熱交換器１１で加熱された空気がドラム１に流入し、衣類を加熱する。衣類加熱後にドラム１を出た空気は第２熱交換器１２にて冷却され、機体外部に排出される。
【００５５】
衣類乾燥運転終了後、折り重なった衣類の内部温度を検出するために、乾燥運転終了後もドラム１が回転し、衣類温度検出部９が回転するドラム１上部から落下する衣類の温度を検出する。この衣類温度検出部９から得られた温度を用いて、制御装置１０が衣類の自然発火を監視する。制御装置１０が温度異常を検知した場合には、制御装置１０が衣類乾燥機１００の各部を制御して衣類冷却運転を行う。
【００５６】
衣類冷却運転を行う場合のヒートポンプサイクルを図６に示す。衣類冷却運転では、乾燥運転時に対して四方弁２２にて冷媒の流れを反転させることで、第１熱交換器１１と第２熱交換器１２の放熱及び吸熱の作用が逆転し、第１熱交換器１１では吸気した空気から吸熱し、第２熱交換器１２ではドラム１より出た排気空気に放熱する。
【００５７】
したがって、前記風路を通る空気は、吸気されたのち第１熱交換器１１にて冷却され、ドラム１内部に流れ込む。この冷却された空気によりドラム１内部の衣類が冷却されて衣類温度が下がる。そしてドラム１を出た空気は第２熱交換器１２にて加熱され、機体外部に排出される。
【００５８】
このように構成した第２実施形態に係るヒートポンプサイクルを備えた衣類乾燥機によれば、ヒートポンプサイクルにおける冷媒の流れを反転させることにより、衣類乾燥運転に必要な装置のみを用いて衣類の冷却及び火災発生の防止を実現することができる。さらに、ヒートポンプサイクルにて冷媒と熱交換して空気を冷却するため、通常の空気を送風するよりもより低い温度の冷風をドラム１内に送ることができ、より効率の良い衣類の冷却を行うことができる。
【００５９】
＜第３実施形態＞
第２実施形態における衣類乾燥機１００は、図７に示すように、第１熱交換器１１と、第１送風ファン１４と、ドラム１と、第２送風ファン１５と、第２熱交換器１２の順に風路が接続され、第１送風ファン１４及び第２送風ファン１５を駆動するためのモーター１３を有し、さらにヒートポンプサイクルを備えたものである。
【００６０】
ここで、衣類乾燥運転時のヒートポンプサイクルは図５のものと同一である。したがって、乾燥運転時において前記風路を通る空気は、吸気されたのち第１熱交換器１１にて加熱され、ドラム１内部に流れ込む。この加熱された空気によりドラム１内部の衣類が加熱されて水分が蒸発する。蒸発した水分を含み高温多湿となった空気は第２熱交換器１２にて冷却され、機体外部に排出される。
【００６１】
衣類乾燥運転終了後、折り重なった衣類の内部温度を検出するために、乾燥運転終了後もドラム１が回転し、衣類温度検出部９が回転するドラム１上部から落下する類の温度を検出する。この衣類温度検出部９から得られた温度を用いて、制御装置１０が衣類の自然発火を監視する。制御装置１０が温度異常を検知した場合には、制御装置１０がモーター１３を制御して衣類冷却運転を行う。
【００６２】
衣類冷却運転を行う場合の空気の流れを図８に示す。ここで、ヒートポンプサイクルは衣類乾燥運転時と同一である。モーター１３が逆回転することで乾燥運転時に対して第１送風ファン１４及び第２送風ファン１５の回転が反転し、空気の流れが反転する。
【００６３】
したがって、前記風路を通る空気は、吸気されたのち第２熱交換器１２にて冷却され、ドラム１内部に流れ込む。この冷却された空気によりドラム１内部の衣類が冷却されて衣類温度が下がる。そしてドラム１を出た空気は第１熱交換器１１にて加熱され、機体外部に排出される。
【００６４】
このように構成した第３実施形態に係るヒートポンプサイクルを備えた衣類乾燥機によれば、衣類乾燥機における空気の流れを反転させることにより、乾燥運転に必要な装置のみを用いて衣類の冷却及び火災発生の防止を実現することができる。さらに、ヒートポンプサイクルにて冷媒と熱交換して空気を冷却するため、通常の空気を送風するよりもより低い温度の冷風をドラム１内に送ることができ、より効率の良い冷却能力を発揮することができる。
【００６５】
＜その他の変形実施形態＞
なお、本発明は前記実施形態に限られるものではない。例えば、衣類乾燥機１００に給水機構を設け、制御装置１０が、温度異常を検知した場合、前記給水機構を制御し、ドラム１内に給水することで衣類冷却運転を行い、油脂類又は衣類の温度上昇及び自然発火を防止することができる。
【００６６】
また、送風ファン６とは別に冷却専用の送風ファンを設け、ドラム内への送風能力を増加させることで、冷却効率を上げることができる。この際、冷却専用の送風ファンの駆動力をモーター７の駆動力を用いるようにすることで装置の大型化を必要最小限にすることができる。
【００６７】
衣類乾燥機１００に異常報知手段を設け、制御装置１０が、温度異常を検知した場合、温度異常信号を出し、当該温度異常信号を取得した異常報知手段が利用者に温度異常を報知することで、温度異常が発生した場合、利用者に温度異常を認知させることができる。
【００６８】
衣類温度検出部９は、衣類乾燥運転時に衣類温度を検出するものと、衣類冷却運転時に衣類温度を検出するものとが別体で構成されていても良いし、一体のもので衣類乾燥運転時と衣類冷却運転時の両方の衣類温度を検出するものでも良い。
【００６９】
その他、本発明は前記実施形態に限られず、その趣旨を逸脱しない範囲で種々の変形が可能であるのは言うまでもない。
【符号の説明】
【００７０】
１００・・・衣類乾燥機
１    ・・・ドラム
２    ・・・前部パネル
３    ・・・後部パネル
４    ・・・ドアガラス
５    ・・・ローラー
６    ・・・送風ファン
７    ・・・モーター
８    ・・・ベルト
９    ・・・衣類温度検出部
１０  ・・・制御装置
１１  ・・・第１熱交換器
１２  ・・・第２熱交換器
１３  ・・・モーター
１４  ・・・第１送風ファン
１５  ・・・第２送風ファン
１６  ・・・吸気口
１７  ・・・ヒーター
１８  ・・・吸気流路
２１  ・・・圧縮機
２２  ・・・四方弁
２３  ・・・膨張弁
【図１】
2013081717.tif 000003
【図２】
2013081717.tif 000004
【図３】
2013081717.tif 000005
【図４】
2013081717.tif 000006
【図５】
2013081717.tif 000007
【図６】
2013081717.tif 000008
【図７】
2013081717.tif 000009
【図８】
2013081717.tif 000010